(57)【特許請求の範囲】
【請求項１】
ロードロック室と、大気圧以下に減圧可能なエッチング室と、アンロードロック室と、前記ロードロック室から前記エッチング室を経て前記アンロードロック室にまで、半導体基板を収容したトレーを搬送する搬送機構とを有する半導体基板の表面エッチング装置であって、
前記ロードロック室、前記エッチング室および前記アンロードロック室は、一方向に配列して構成され、
前記エッチング室は、前記半導体基板の表面にプラズマにより活性イオンとすることなくエッチングガスを噴射する複数の第１開口部と、前記半導体基板の表面に冷却ガスを噴射する複数の第２開口部とを備え、
前記第１開口部と前記第２開口部とが、前記搬送方向に沿って繰り返して配置されている、
表面エッチング装置。
【請求項２】
前記トレーは、前記トレーに収容された前記半導体基板の裏面に不活性ガスを吹きつけるための流路孔を有する、請求項１に記載の表面エッチング装置。
【請求項３】
前記表面エッチング装置は、前記エッチング室の内部に、前記トレーを嵌め込み式に保持するトレー保持部をさらに有し、
前記トレー保持部を介して前記流路孔と連通する不活性ガス供給装置をさらに有する、請求項２に記載の表面エッチング装置。
【請求項４】
前記トレーは、複数枚の半導体基板を収容可能に構成される、請求項１に記載の表面エッチング装置。
【発明の詳細な説明】
【技術分野】
【０００１】
本発明は、半導体基板の表面エッチング装置に関する。
【背景技術】
【０００２】
シリコン太陽電池（光電変換素子）などにおいて、シリコン基板の受光面にテクスチャと称される凹凸形状を設けて、入射光の反射を抑え、かつシリコン基板に取り込んだ光を外部に漏らさないようにしている。シリコン基板の表面へのテクスチャ形成は、一般的にアルカリ（ＫＯＨ）水溶液をエッチャントとするウェットプロセスにより行われている。ウェットプロセスによるテクスチャ形成は、後処理としてフッ化水素による洗浄工程や、熱処理工程などが必要とされる。そのため、シリコン基板表面を汚染する恐れがあるばかりか、コスト面からも不利な点があった。
【０００３】
一方で、シリコン基板の表面へのテクスチャ形成をドライプロセスにて行う方法も提案されている。例えば、１）プラズマによる反応性イオンエッチング（Reactive Ion Etching）といわれる手法を用いる方法、２）シリコン基板のある大気圧雰囲気下の反応室に、ＣｌＦ３，ＸｅＦ２，ＢｒＦ３およびＢｒＦ５のいずれかのガスを導入することで、シリコン基板表面をエッチングする方法が提案されている（特許文献１を参照）。
【０００４】
また、半導体基板のエッチングシステムであって、エッチングフィーチャーを測定するための光学測定ツールを具備するシステムが知られている（特許文献２を参照）。特許文献２の装置によれば、エッチングの寸法制度を高めることができるとされている。また、搬送チャンバーと処理チャンバーとを有する基板処理装置であって、搬送チャンバーと処理チャンバーとの間に、排気系を備えたバッファーチャンバーを設けることが提案されている（特許文献３を参照）。バッファーチャンバーを設けることで、処理チャンバー内の雰囲気の汚染を防止することができるとされている。
【先行技術文献】
【特許文献】
【０００５】
【特許文献１】特開平１０−３１３１２８号公報
【特許文献２】特開２００５−１２９９０６号公報
【特許文献３】特開２００１−１８５５９８号公報
【発明の概要】
【発明が解決しようとする課題】
【０００６】
プラズマによる反応性イオンエッチングを用いると、シリコン基板の表面がプラズマによってダメージを受けやすく、デバイス（例えば太陽電池）としての性能に悪影響を及ぼすことがあった。また、プラズマ発生装置などが必要なため、装置コストが高くなるという問題もあった。
【０００７】
一方で、特許文献１に記載のように、ＣｌＦ３，ＸｅＦ２，ＢｒＦ３およびＢｒＦ５のガスを用いることでシリコン基板表面をエッチングすることができるが、そのエッチング反応は発熱反応であり、シリコン基板の温度が上昇すると所望のエッチングができない。そのため、エッチング工程と冷却工程とを繰り返しながらシリコン基板表面をエッチングしなければならず、量産化に適した方法ではない面があった。そこで本発明は、半導体基板と発熱反応を起こすガスをエッチングガスとして用いつつ、量産化に対応可能な半導体基板表面をエッチングする装置を提供することを課題とする。
【０００８】
また、ＣｌＦ３，ＸｅＦ２，ＢｒＦ３およびＢｒＦ５のガスをエッチングガスとすると、一定のエッチング形状は得られるものの、必ずしも太陽電池のシリコン基板にとって適切なテクスチャ構造を得ることはできない場合があった。そこで本発明は、ＣｌＦ３，ＸｅＦ２，ＢｒＦ３またはＢｒＦ５を含むエッチングガス組成を好適化することで、シリコン基板にダメージを与えることなく、太陽電池のシリコン基板にとって適切なテクスチャ構造を形成する装置を提供することを課題とする。
【課題を解決するための手段】
【０００９】
すなわち本発明は、以下に示す表面エッチング装置に関する。
［１］ロードロック室と、大気圧以下に減圧可能なエッチング室と、アンロードロック室と、前記ロードロック室から前記エッチング室を経て前記アンロードロック室にまで、半導体基板を収容したトレーを搬送する搬送機構とを有する半導体基板の表面エッチング装置であって、
前記ロードロック室、前記エッチング室および前記アンロードロック室は、一方向に配列して構成され、
前記エッチング室は、前記半導体基板の表面にプラズマにより活性イオンとすることなくエッチングガスを噴射する複数の第１開口部と、前記半導体基板の表面に冷却ガスを噴射する複数の第２開口部とを備え、
前記第１開口部と前記第２開口部とが、前記搬送方向に沿って繰り返して配置されている、
表面エッチング装置。
【００１０】
［２］前記トレーは、前記トレーに収容された前記半導体基板の裏面に不活性ガスを吹きつけるための流路孔を有する、［１］に記載の表面エッチング装置。
［３］前記表面エッチング装置は、前記エッチング室の内部に、前記トレーを嵌め込み式に保持するトレー保持部をさらに有し、
前記トレー保持部を介して前記流路孔と連通する不活性ガス供給装置をさらに有する、［１］に記載の表面エッチング装置。
［４］前記トレーは、複数枚の半導体基板を収容可能に構成される、［１］に記載の表面エッチング装置。
【発明の効果】
【００１１】
本発明の表面エッチング装置によれば、半導体基板の表面を効率的にドライエッチングすることができる。しかも、プロセス中の半導体基板の温度上昇を抑制することができるので量産化にも対応できる。さらに、エッチングガスの組成を好適化することで、これまで実現されなかった微細凹凸のテクスチャ構造を半導体基板表面に形成することができる。さらに、好適には、太陽電池として適切な半導体基板を提供することができ、太陽電池の光電変換率を高めることができる。
【図面の簡単な説明】
【００１２】
【図１】本発明の本発明の表面エッチング装置の第一の例の概要を示す図である。図１Ａは、装置を側面から見たときの透視図；図１Ｂは、装置を上面から見たときの透視図である。
【図２】本発明の本発明の表面エッチング装置の第二の例の概要を示す図であり、装置を側面から見たときの透視図である。
【図３】参考例に係る本発明の表面エッチング装置の第三の例の概要を示す図であり、装置を上面から見たときの透視図である。
【図４】トレーを、トレー保持部に保持させる様子を示す図である。
【発明を実施するための形態】
【００１３】
１．表面エッチング装置について
本発明の表面エッチング装置は、１）ロードロック室と、２）大気圧以下に減圧可能なエッチング室と、３）アンロードロック室と、４）前記ロードロック室から前記エッチング室を経て前記アンロードロック室にまで、半導体基板を収容したトレーを搬送するための搬送機構と、５）前記半導体基板やトレーを冷却するための冷却機構とを有する（図１ＡＢを参照）。
【００１４】
また、本発明の表面エッチング装置は、１）ロードロック室と、２）大気圧以下に減圧可能なエッチング室と、３）ガス除去室と、４）アンロードロック室と、５）前記ロードロック室から前記エッチング室およびガス除去室を経て前記アンロードロック室にまで、半導体基板を収容したトレーを搬送するための搬送機構と、６）前記半導体基板やトレーを冷却するための冷却機構とを有する（図２を参照）。
【００１５】
本発明の表面エッチング装置は、各処理室（ロードロック室、エッチング室、アンロードロック室、ガス除去室（任意））を連結する中間室を有していてもよい。このような態様の装置は、クラスター装置と称される装置でありうる（図３を参照）。
【００１６】
搬送機構は半導体基板を搬送する部材であり、ロードロック室からエッチング室を経てアンロードロック室にまで搬送するか、あるいはロードロック室からエッチング室とガス除去室とを経て、アンロードロック室にまで搬送する。搬送機構とは、例えばローラ搬送機、ラックアンドピニオン、ベルトコンベアー、エア浮上、ロボットアームなどである。
【００１７】
搬送機構は半導体基板を搬送するが、半導体基板はトレーに収容されて搬送されることが好ましい。トレーとは、半導体基板が搬送機構に直接接触しないように半導体基板を保護し、かつ半導体基板の表面のうちエッチング処理する面を開放する容器である。その材質は特に限定されない。トレーには、収容する半導体基板を固定するための基板押さえがあることが好ましい。
【００１８】
また、一つのトレーには、一枚の半導体基板が収容されてもよいが、複数枚の半導体基板が収容されてもよく、例えば１００枚の半導体基板が収容できる。一つのトレーに複数枚の半導体基板が収容できれば、エッチング処理が効率的になる。
【００１９】
トレーには、半導体基板の裏面（エッチング処理されない面）にガスを吹きつけるための孔を有していてもよい（図４参照）。ここで吹きつけるガスは、半導体基板と反応しないガス（不活性ガスという）であればよい。
【００２０】
半導体基板は、エッチング処理中に発熱して、反りを生じさせることがある。また、半導体基板の裏面（エッチング処理されない面）に、エッチングガスが接触することで、半導体基板の裏面が意図しないエッチングを受けることがある。半導体基板の裏面（エッチング処理されない面）に不活性ガスを吹きつけることで、半導体基板の過剰な発熱を抑制し、かつ半導体基板の温度分布を均一にする（温度ムラを低減する）ことで、半導体基板の反りを抑制し；かつ半導体基板の裏面にガスが接触することも抑制できる。
【００２１】
トレーに不活性ガスを吹きつけるための孔を設けた場合には、エッチング室と、必要に応じてガス除去室とで、半導体基板の裏面に不活性ガスを吹き付けることが好ましい。不活性ガスを吹きつけるには、例えば、エッチング室やガス除去室に設けられたトレー保持部（後述）を不活性ガス供給装置に接続しておき、トレー保持部にトレーを取付ければよい。
【００２２】
ロードロック室とは、反応室を大気に開放しないことを目的に設けられた空間であり、通常は減圧可能にされている。ロードロック室は、後述するエッチング室やガス除去室とはゲートバルブで仕切られている。ロードロック室には、装置外部から半導体基板が供給される。供給された半導体基板は、ロードロック室においてトレーに収容されて、搬送機構にセットされる。
【００２３】
ロードロック室の内部は冷却されていてもよく、それにより半導体基板やトレーを冷却することができる。また、ロードロック室内の搬送機構（搬送ローラー）が冷却されていてもよく、同様に半導体基板やトレーを冷却することができる。
【００２４】
半導体基板は、後述のエッチング室におけるエッチングプロセスにおいて発熱反応を起こす。半導体基板の温度が過剰に高まると、所定のエッチング反応が進行しなくなり、所望の形状が半導体基板表面に形成できなくなる。よって、ロードロック室において予め半導体基板および/またはトレーを冷却することで、半導体基板の温度が過剰に高まることを防止する。
【００２５】
ロードロック室において、半導体基板は、例えば−３０℃付近にまで冷却されてもよい。また、半導体基板を収容するトレーは、より低温に冷却されていても構わない。
【００２６】
本発明の表面エッチング装置のエッチング室は、搬送機構によってロードロック室から搬送された半導体基板をエッチングするための空間である。エッチング室の内部は、減圧状態にすることができ、減圧条件下にてエッチングプロセスを行う。エッチングプロセス中の反応室の内部圧力は、１ＫＰａ〜１００ＫＰａの範囲に調整され、通常１０ＫＰａ〜９０ＫＰａに制御され、好ましくは３０ＫＰａ〜６０ＫＰａに制御される。
【００２７】
エッチング室において半導体基板を搬送する搬送機構は冷却されていてもよい。それにより、エッチング室において半導体基板が発熱するのを抑制することができる。
【００２８】
エッチング室には、エッチングガスを噴射する開口部が具備される。開口部とは、ガスを吹き付けるためのパイプ状の部材であってもよいし、シャワープレートのような平板状の部材に設けられた複数個の貫通孔であってもよい。
【００２９】
エッチングガスは、半導体基板の材質などによって適宜選択されるが；典型的には、ＣｌＦ３，ＸｅＦ２，ＢｒＦ３およびＢｒＦ５のうちの少なくとも一つのガスを含む。これらのガス分子は、半導体基板の表面に物理吸着して、エッチングサイトに移動する。エッチングサイトに到達したガス分子は分解し、半導体材料（典型的にはシリコン）と反応して揮発性のフッ素化合物を生成する。それにより、半導体基板表面がエッチングされ、凹凸形状が形成される。
【００３０】
エッチングガスには、その分子内に酸素原子を含有するガスが含まれていることが好ましい。酸素原子を含有するガスとは、典型的には酸素ガス（Ｏ２）であるが、二酸化炭素（ＣＯ２）などであってもよい。エッチングガスにおける酸素原子含有ガスの濃度（体積濃度）は、ＣｌＦ３，ＸｅＦ２，ＢｒＦ３およびＢｒＦ５のガスの合計濃度の２倍以上であることが好ましい。エッチングガスに酸素原子含有ガスを含ませることで、太陽電池のテクスチャ構造として適切な凹凸形状を、半導体基板表面に形成することができる。その理由は、必ずしも明らかではないが、例えばＣｌＦ３ガスがシリコン表面に物理吸着すると、シリコンと反応してＳｉＦ４となってガス化する。このとき、シリコンネットワーク構造のダングリングボンドに酸素原子がターミネートすることで、Ｓｉ−Ｏ結合が部分的に構成される。それにより、エッチングされやすい領域(Ｓｉ−Ｓｉ)と、エッチングされにくい領域(Ｓｉ−Ｏ)とができる。そのエッチングレートの差でケミカルな反応が促進され、形状制御が可能となると考えられる。
【００３１】
さらに、エッチングガスには窒素ガスまたは不活性ガスが含まれていてもよい。エッチングガスにおけるＣｌＦ３，ＸｅＦ２，ＢｒＦ３およびＢｒＦ５の濃度が高すぎると、等方的にエッチングが進行しやすい場合があり、半導体基板表面に所望の凹凸形状が得られないことがある。そのため、窒素ガスまたは不活性ガスを希釈ガスとして混合させる場合がある。
【００３２】
本発明の表面エッチング装置のエッチング室には、冷却ガスを噴射する開口部が具備されることが好ましい。冷却ガスとは、半導体基板の材質と発熱反応しないガスであればよく、窒素ガスや不活性ガス（ヘリウムガスやアルゴンガスなど）などが例示される。前述の通り、ＣｌＦ３，ＸｅＦ２，ＢｒＦ３およびＢｒＦ５は半導体と反応するが、その反応は発熱反応であるため、半導体基板温度が上昇する。半導体基板温度が上昇すると、等方的にエッチングが進行しやすくなり、半導体基板表面に所望の凹凸形状が得られない。そのため、エッチング反応によって発熱した半導体基板に冷却ガスを吹き付けることで、半導体基板を冷却する。
【００３３】
前述の通り、ロードロック室において半導体基板を冷却しておいてもよいが、それでもエッチングプロセス中に発熱して、過剰に半導体基板の温度が上昇する恐れがある。そこで、半導体基板表面にエッチングガスと冷却ガスとを吹き付ける、好ましくは交互に吹き付けることで、半導体基板の発熱を抑制することが好ましい。
【００３４】
エッチング中の半導体基板の温度は、１３０℃以下に保持されることが好ましく、１００℃以下に保持されることがより好ましく、８０℃以下に保持されることがさらに好ましい。一方、半導体基板の温度は、噴射されるエッチングガスの沸点以上に保持されていればよい。例えばＣｌＦ３の沸点は約１２℃であるので、ＣｌＦ３を用いる場合には、半導体基板の温度を１２℃以上に保持する。
【００３５】
エッチング室には、エッチングガスを噴射する開口部が２つ以上具備されていることが好ましく、冷却ガスを噴射する開口部も２つ以上具備されていることが好ましい。各開口部の配列は、特に限定されないものの、半導体基板の搬送方向（半導体基板の相対移動方向）に沿って配列されていることが好ましい。エッチングガスを噴射する開口部と冷却ガスを噴射する開口部とは、規則的に配列していることが好ましい。例えば、搬送方向に沿って、エッチングガスを噴射する開口部と冷却ガスを噴射する開口部とが交互に配列していてもよい。あるいは、搬送方向に沿って、エッチングガスを噴射する開口部と複数の冷却ガスを噴射する開口部とが、繰り返して配置されていてもよい。ただし、通常は、２つのエッチングガスを噴射する開口部が連続して配列されないことが好ましい。
【００３６】
また、各開口部の形状は特に制限されないが、半導体基板表面の広面積にガスを吹き付けることができるように、開口部の吐出口にむかって末広がりになっていると好ましい場合がある。
【００３７】
本発明の表面エッチング装置は、マスク形成用ガスを噴射する開口部を有していてもよい。マスク形成用ガスはフッ化炭素ガスであることが好ましく、フッ化炭素ガスの例には４フッ化メタン（ＣＦ４）や、６フッ化エタン（Ｃ２Ｆ６）などが含まれる。マスク形成用ガスの分子が半導体基板表面に吸着すると、その吸着部分はエッチングされにくくなる。そのため、選択的に半導体基板表面をエッチングすることができ、所望の凹凸形状を得られやすくなることがある。
【００３８】
一方で、エッチング室にプラズマ手段が具備されている必要はない。本発明の表面エッチング装置は、エッチングガスと半導体基板との化学反応によって、半導体基板表面をエッチングする。そのため、ガスをプラズマによって活性イオンとする必要はない。
【００３９】
本発明の表面エッチング装置は、ガス除去室を有していてもよい。ガス除去室とは、エッチング室でエッチングされた半導体基板に残留したエッチングガス成分またはその変性成分を取り除くための領域である。ガス除去室は、エッチング室とゲートバルブで仕切られていることが好ましい。ガスを除去するための構成は特に限定されないが、ガス除去室を減圧状態として、不活性ガスを半導体基板に吹き付ければよい。
【００４０】
さらに、本発明の表面エッチング装置は、中間室を有していてもよい。中間室とは、各処理室（ロードロック室、エッチング室、ガス除去室、アンロードロック室を含む）を繋ぐ空間である。つまり、各処理室は、中間室を介して連結している。このように中間室を有する装置は、クラスター形態の装置と称されることがある。中間室は、冷却機構を有していてもよい。それにより、中間室は、ある処理室から他の処理室へと搬送中の半導体基板を冷却することができる。
【００４１】
本発明の表面エッチング装置のアンロードロック室は、ロードロック室と同様に、反応室を大気に開放しないことを目的に設けられた空間である。アンロードロック室は、通常は減圧可能にされており；後述するエッチング室やガス除去室とはゲートバルブで仕切られている。アンロードロック室には、エッチング処理された半導体基板が搬送機構によって搬送される。アンロードロック室に搬送された半導体基板は、トレーから取りはずされて回収される。
【００４２】
回収された半導体基板はアニール処理などを施されることが好ましい。アニール処理とは、高温アニールやプラズマアニールなどをいう。
【００４３】
本発明の表面エッチング装置によって、表面に凹凸形状を形成される半導体基板とは、典型的にはシリコン基板であるが、ゲルマニウム基板、シリコンカーバイドなどであってもよい。さらに、表面エッチングされる基板は、半導体基板以外のサファイア基板などであってもよい。また、シリコン基板は、通常は単結晶シリコンであるが、多結晶シリコンであっても、アモルファスシリコンであってもよい。
【００４４】
単結晶シリコン基板は、基板面方位（１００）のシリコン基板であってもよいし、基板面方位（１１１）のシリコン基板であってもよいし、他の基板面方位のシリコン基板であってもよい。基板面方位（１１１）のシリコン基板を、従来のアルカリ水溶液を用いたウェットプロセスによるエッチングを行うと、基板表面に凹凸形状を形成できず、単に表面が等方的にエッチングされる。ところが、本発明の表面エッチング装置によれば、基板面方位（１１１）のシリコン基板にも、基板表面に凹凸形状を形成することができるという特徴がある。
【００４５】
半導体基板は、半導体ウェハであってもよいし、他の基板に成膜された半導体薄膜であってもよい。
【００４６】
２．エッチング方法について
本発明の表面エッチング装置を用いて、表面に凹凸形状が形成された半導体基板を製造することができる。具体的には、まず、本発明の表面エッチング装置のロードロック室に、トレーに収容され半導体基板を供給する。ロードロック室において、半導体基板および／またはそれを収容するトレーを冷却する。
【００４７】
次に、ロードロック室で冷却された半導体基板を、搬送機構でエッチング室に搬送する。エッチング室は減圧されていることが好ましい。エッチング室に搬送された半導体基板に、エッチングガスを噴射する開口部からエッチングガスを吹き付ける。このとき、搬送機構によって、半導体基板と開口部との相対位置を制御して、半導体基板表面の所望の位置にエッチングガスを吹き付ける。エッチング室において、冷却ガスを噴射する開口部から冷却ガスを吹き付けてもよい。
【００４８】
エッチング室において、半導体基板の温度を１３０℃以下、好ましくは１００℃以下、より好ましくは８０℃以下に保持することが好ましい。
【００４９】
搬送機構で半導体基板を搬送しながら、半導体基板を振動させてもよいし、あるいは開口部を振動させてもよい。それにより、より微細な凹凸形状が半導体基板の表面に形成されうる。また、半導体基板の相対移動は、一方向である必要はなく、２次元方向に移動してもよいし、３次元方向に移動してもよい。さらに、搬送は往復移動をしてもよい。
【００５０】
エッチング室において搬送機構で搬送中の半導体基板を冷却してもよい。また、中間室において、ロードロック室からエッチング室へ搬送中の半導体基板を冷却してもよい。それらによって、半導体基板の過剰な発熱をより効果的に抑制する。
【００５１】
表面に凹凸形状が形成された半導体基板は、例えば太陽電池の半導体基板としても用いることができる。太陽電池の半導体基板（典型的にはシリコン基板）の受光面には、テクスチャ構造と称される凹凸形状を形成して、反射率を低減させて光閉じ込め率を下げる。本発明によれば、半導体基板の表面に、このテクスチャ構造として適した形状を形成することができる。
【００５２】
［実施の形態１］
図１Ａおよび図１Ｂには、本発明の表面エッチング装置の第一の例の概要が示される。図１Ａは、装置を側面から見たときの透視図であり；図１Ｂは、装置を上面から見たときの透視図である。
【００５３】
図１Ａおよび図１Ｂに示される表面エッチング装置は、ロードロック室１０と、エッチング室２０と、アンロードロック室３０とを有する。ロードロック室１０と、エッチング室２０と、アンロードロック室３０の内部は、いずれも減圧されることができる。つまり、ロードロック室１０にはドライポンプ１２と、バルブ１３と、ゲートバルブ１４が設けられ；アンロードロック室３０にはドライポンプ３２と、バルブ３３と、ゲートバルブ３４が設けられている。
【００５４】
ロードロック室１０には、基板供給部５から半導体基板１が供給される。半導体基板１は、ステージに載置されてロードロック室１０に供給される。例えば、トレーなどの容器などに収容された状態で、ロードロック室１０に供給されてもよい。１つのトレーに、１００枚程度の半導体基板１が収容されていてもよい。
【００５５】
ロードロック室１０からエッチング室２０を経てアンロードロック室３０にまで、搬送機構となるローラ搬送機５０が設けられている。ローラ搬送機５０にセットされた半導体基板１は、ロードロック室１０からエッチング室２０を経てアンロードロック室３０にまで搬送されることができる。
【００５６】
エッチング室２０には、エッチングガス供給ノズル６０が設けられ、さらに冷却ガス供給ノズル７０も設けられていることが好ましい。これらのノズルからのガスを、エッチング室２０の内部に供給し、搬送される半導体基板１の表面に接触させることができる。エッチングガス供給ノズル６０と冷却ガス供給ノズル７０とは、搬送方向に沿って、交互に設けられている。また、エッチング室２０にはドライポンプ２２と、バルブ２３とが設けられており、エッチング反応で発生したガスなどを排気することができる。
【００５７】
ローラ搬送機５０は、ロードロック室１０からアンロードロック室３０にまで一方向に半導体基板１を搬送してもよいが、往復移動させながら（図において左右に移動させながら）搬送してもよい。
【００５８】
アンロードロック室３０にまで搬送された半導体基板１'は、基板排出部３５に排出されて回収される。半導体基板１'のノズル（エッチングガス供給ノズル６０と冷却ガス供給ノズル７０）と対向する表面には、所望の凹凸形状が形成されている。その後、半導体基板１'は、必要に応じて水素ガス雰囲気下で残留したフッ素成分を除去するための処理を施されてもよい。例えば、高温アニールを施されたり、プラズマ処理を施されたりする。
【００５９】
図１Ａおよび図１Ｂに示される表面エッチング装置において、ロードロック室１０に冷却機構を設けて半導体基板１を冷却することが好ましい。ロードロック室１０で半導体基板１を冷却するには、ロードロック室１０の室内温度を下げたり；ロードロック室１０における搬送機構（搬送ローラ）の温度を下げたり；冷却風を半導体基板に吹き付けたり；予め設置された冷却板（例えば冷媒を循環した板）に、半導体基板を収容するトレーを一定時間接触させたりすることが考えられる。
【００６０】
図１Ａおよび図１Ｂに示される表面エッチング装置において、エッチング室２０で半導体基板を搬送する搬送機構に冷却機構を設けて半導体基板１を冷却してもよい。エッチング室２０における搬送機構で半導体基板１を冷却するには、搬送機構を構成する搬送ローラの温度を下げたり、ベルトコンベアーのベルトを冷却したりすることが考えられる。
【００６１】
［実施の形態２］
図２には、本発明の表面エッチング装置の第二の例の概要が示される。図２に示される表面エッチング装置は、実施の形態１の装置と同様、ロードロック室１０と、エッチング室２０と、アンロードロック室３０とを有する点で共通するが；さらに、エッチング室２０とアンロードロック室３０との間に、ガス除去室８０が設けられている。
【００６２】
ガス除去室８０とは、エッチング室２０でエッチングされた半導体基板に残留したエッチングガス成分を除去するための空間である。ガス除去室８０はドライポンプ８２とバルブ８３とを有しており、減圧されることができる。さらに、ガス除去室には、半導体基板に不活性ガスを吹き付けるバルブ（不図示）などがあってもよい。
【００６３】
［参考例］
図３には、参考例に係る表面エッチング装置の概要が示される。図３は、装置を上面から見たときの概略図である。このように、中間室９０を介して、各処理室を半導体基板１が移動する装置を、「クラスター装置」と称することがある。
【００６４】
図３に示される表面エッチング装置は、ロードロック室１０と、エッチング室２０と、ガス除去室８０と、アンロードロック室３０と、中間室９０とを有する。ロードロック室１０と、エッチング室２０と、アンロードロック室３０と、ガス除去室８０は、実施の形態２における装置と同様である。ロードロック室１０と、エッチング室２０と、ガス除去室８０と、アンロードロック室３０とは、中間室９０を介して連結している。
【００６５】
搬送機構は、ロードロック室１０からエッチング室２０、さらにガス除去室８０を経て、アンロードロック室３０にまで、トレーに収容された半導体基板１を搬送することができる。より具体的に、搬送機構は、ロードロック室１０から中間室９０を経てエッチング室２０に半導体基板１を搬送し、エッチング室２０から中間室９０を経てガス除去室８０へ半導体基板１を搬送し、ガス除去室８０から中間室９０を経てアンロードロック室３０へ半導体基板１（１'）を搬送する（図３の矢印参照）。
【００６６】
半導体基板１は、ロードロック室１０で冷却されてもよいし、搬送機構によって冷却されてもよい。さらには、中間室９０で半導体基板１を冷却してもよい。例えば、半導体基板１をロードロック室１０からエッチング室２０に搬送する間に、中間室９０で半導体基板１を冷却すれば、エッチング室２０での半導体基板１の発熱を抑制することができる。さらに冷却室９０は、エッチング室２０で発熱した半導体基板１をガス除去室８０に搬送するときに冷却してもよい。
【００６７】
［実施の形態３］
図１〜図３に示されるエッチング装置のエッチング室２０に、半導体基板１を収容するトレーを保持するトレー保持部を配置してもよい。図４には、半導体基板１を収容するトレー４５を、トレー保持部４０に保持させる様子が示される。例えば、トレー保持部４０の凸部に、トレー４５の凹部がはめ込まれることで、トレー保持部４０がトレー４５を保持する（図４における実線矢印参照）。
【００６８】
トレー保持部４０およびトレー４５には、それぞれガスを流すための流路孔４１および流路孔４６が設けられており、トレー保持部４０がトレー４５を保持すると、孔４１および孔４６とが連通する。トレー保持部４０に接続されたガス供給装置（不図示）が、孔４１および孔４６を介して、トレー４５に収容された半導体基板１の裏面（エッチング処理されない面）に、ガスを吹き付けることができる（点線矢印参照）。吹き付けるガスは、半導体基板１と反応しない不活性ガスであればよい。
【００６９】
エッチング室２０における半導体基板１の裏面に不活性ガスを吹き付けることで、エッチング室２０の内部に供給されたエッチングガスが、半導体基板１の裏面に接触することが抑制され、半導体基板１の裏面をエッチングすることを防止する。また、不活性ガスを吹き付けることで、半導体基板１を均一に冷却することもできる。
【００７０】
また、図２および図３に示されるエッチング装置のガス除去室８０にも、図４に示されるような、トレー４５を保持するトレー保持部４０を配置してもよい。ガス除去室８０における半導体基板１の裏面に不活性ガスを吹き付けることで、より効果的に半導体基板１に残留したエッチングガス成分を除去することができる。
【産業上の利用可能性】
【００７１】
本発明の表面エッチング装置によれば、半導体基板の表面を効率的にドライエッチングすることができる。しかも、プロセス中の半導体基板の温度上昇を抑制することができるので量産化にも対応できる。よって、太陽電池の製造プロセスにおける半導体基板表面にテクスチャ構造を形成するステップに、特に好適に応用されうる。
【符号の説明】
【００７２】
１  半導体基板
１’  半導体基板
５  基板供給部
１０  ロードロック室
１２  ドライポンプ
１３  バルブ
１４  ゲートバルブ
２０  エッチング室
２２  ドライポンプ
２３  バルブ
３０  アンロードロック室
４０  トレー保持部
４１  流路孔
４５  トレー
４６  流路孔
４７  基板押さえ
３２  ドライポンプ
３３  バルブ
３４  ゲートバルブ
３５  基板排出部
５０  ローラ搬送機
６０  エッチングガス供給ノズル
７０  冷却ガス供給ノズル
８０  ガス除去室
８２  ドライポンプ
８３  バルブ
９０  中間室
【図１】
0005422064.tif 000002
【図２】
0005422064.tif 000003
【図３】
0005422064.tif 000004
【図４】
0005422064.tif 000005